(57)【特許請求の範囲】
【請求項１】
組み込み対象物内に開口を縦向きに配するように組み込まれるケースと、
このケースの開口を閉塞する起立位置から当該開口を開放する伏倒位置まで回動可能に当該ケースに組み付けられた蓋と、
この蓋の内面部に両端部間において回動可能に組み付けられたリフトアームの一端部が回動可能に組み付けられて当該蓋の内面側に配される物品支持部材と、
前記蓋の伏倒位置に向けた回動に伴って、前記物品支持部材を当該蓋の内面から離れ出させ、かつ、前記ケースの開口前方に移動させるように、前記リフトアームを回動させる連係機構とを備えており、
この連係機構が、リフトアームにおける物品支持部材に組み付けられた端部と反対の端部に当該蓋の先端側にある前端を回動可能に組み付けると共に、当該蓋の先端側から回動組み付け側に向けて移動可能に当該蓋に組み付けられたスライダと、
一端側をケースに、かつ、他端側を前記スライダの後端に回動可能に組み付けられて、前記蓋の伏倒位置に向けた回動に伴って、前記スライダを当該蓋の先端側から離れる向きに移動させるように回動されるリンクアームとから構成されていることを特徴とする物品支持装置。
【請求項２】
リフトアームが、ケースに対する蓋の回動組み付け側を屈曲内側とするように屈曲状に構成されていると共に、屈曲位置で蓋に回動可能に組み付けられており、しかも、この屈曲位置と物品支持部材との回動組み付け位置との間のストロークが当該屈曲位置とスライダとの回動組み付け位置との間のストロークよりも長くなるように構成してあることを特徴とする請求項１記載の物品支持装置。
【請求項３】
物品支持部材に、起立状態にある飲料容器の側部を保持する保持部が形成してあることを特徴とする請求項１又は請求項２記載の物品支持装置。
【発明の詳細な説明】
【０００１】
【発明の属する技術分野】
この発明は、起立位置から伏倒位置に向けて回動可能にケースに組み付けられた蓋の内面部に、この伏倒位置において物品を支持する物品支持部材を備えさせて構成される物品支持装置の改良に関する。
【０００２】
【従来の技術】
起立位置から伏倒位置に向けて回動可能に設けられた受承板（蓋）の内面部に、この受承板の側端部に下端部を回動可能に連結させると共に、上端部をこの受承板によって塞がれるコンソールボックスの開口を形成させる奥壁部に回動可能に連結させた一対の支持アーム間に亘るように支持板（物品支持部材）を備えさせて構成された小物用ホルダー（物品支持装置）が開示されている。（公開特許公報所載の特開平１１−１５１９６８号）
【０００３】
【発明が解決しようとする課題】
しかるに、かかる従来の装置にあっては、前記受承板の伏倒位置への回動操作に伴って前記支持板を前記コンソールボックス内から単純に水平向きに移動させるに留まるものであるため、このように水平向きに移動された支持板の前端はコンソールボックスの縦向きの外壁面からさほど離れることはない。このため、かかる従来の装置を、コンソールボックスの上部開口を塞ぐコンソールリッドが開き出される側に設けさせた場合、このコンソールリッドの回動組み付け側の基部を前記支持板によって支持される物品に干渉させてしまい易いものであった。
【０００４】
また、前記支持板は前記一対の支持アーム間に亘って設けられるため、支持板の左右両側にこの支持アームの上部が必然的に位置され、このように位置される支持アームの上部が当該支持板への物品の支持にあたり邪魔となる不都合があった。
【０００５】
そこでこの発明は、かかる従来例の不都合を是正することを目的とする。特に、蓋の伏倒位置に向けた回動に伴って、この蓋の内側部に配した物品支持部材を、この蓋により開口を閉塞されるケースの組み込まれた組み込み対象物から離れ出させるように移動させて、当該物品支持部材による物品の支持を容易且つ適切になし得るようにすることを主たる目的の一つとする。
【０００６】
【課題を解決するための手段】
前記目的を達成するために、請求項１記載の発明にあっては、物品支持装置が、（１）組み込み対象物内に開口を縦向きに配するように組み込まれるケースと、（２）このケースの開口を閉塞する起立位置から当該開口を開放する伏倒位置まで回動可能に当該ケースに組み付けられた蓋と、
（３）この蓋の内面部に両端部間において回動可能に組み付けられたリフトアームの一端部が回動可能に組み付けられて当該蓋の内面側に配される物品支持部材と、
（４）前記蓋の伏倒位置に向けた回動に伴って、前記物品支持部材を当該蓋の内面から離れ出させ、かつ、前記ケースの開口前方に移動させるように、前記リフトアームを回動させる連係機構とを備えており、
（５）この連係機構が、リフトアームにおける物品支持部材に組み付けられた端部と反対の端部に当該蓋の先端側にある前端を回動可能に組み付けると共に、当該蓋の先端側から回動組み付け側に向けて移動可能に当該蓋に組み付けられたスライダと、
（６）一端側をケースに、かつ、他端側を前記スライダの後端に回動可能に組み付けられて、前記蓋の伏倒位置に向けた回動に伴って、前記スライダを当該蓋の先端側から離れる向きに移動させるように回動されるリンクアームとから構成されている構成とした。
【０００７】
かかる構成によれば、前記ケースの開口を塞ぐ起立位置から前記伏倒位置への蓋の回動に伴って、前記リフトアームにより前記物品支持部材を当該蓋から離れ出させることができると共に、当該物品支持部材を全体として蓋とケースとの回動組み付け位置から離れる向き（つまり、当該蓋の前記伏倒位置への回動に伴って前記ケースの開口前方に移動する向き）に移動させることができる。
【０００８】
すなわち、前記蓋の前記起立位置から伏倒位置への回動に伴って前記リフトアームの他端部を当該蓋とケースとの回動組み付け位置に近づける向きに引っ張るようにすれば、当該起立位置において蓋に近接された物品支持部材を当該伏倒位置に近付くに連れて次第に蓋から離れ出させ、かつ、当該ケースの開口前方に移動させることができる。
【０００９】
また、前記蓋の前記伏倒位置から起立位置への回動に伴って前記リフトアームの前記他端部を当該蓋とケースとの回動組み付け位置から遠ざける向きに押し込むようにすれば、当該伏倒位置において蓋から離れ出された物品支持部材を当該起立位置に近付くに連れて次第に蓋に近づけさせ、かつ、当該ケースの開口側に向けて、さらには、前記伏倒位置において当該開口前方に移動したかかる物品支持部材の前端を前記ケース内への当該物品支持部材の収納の妨げとならないように当該ケースの上部内側より下方に移動させることができる。
【００１０】
この結果、第一に、前記ケースの組み込まれる組み込み対象物から前記物品支持部材を離隔させた状態で当該物品支持部材を前記蓋の上方に位置づけ、支持することができ、この物品支持部材上に支持される物品あるいは当該物品支持部材に側部を支持されて前記蓋上に載せられる物品と組み込み対象物との間の間隔を広げさせた状態での当該物品の支持をなすことができる。
【００１１】
また、第二に、前記蓋と物品支持部材との間の間隔を広げさせた状態での前記物品の支持をなすことができる。
【００１２】
また、第三に、前記蓋の起立状態においては、前記蓋との間の間隔を狭めて前記ケース内に最小の収納スペース（当該ケースの主として奥行きスペース）をもって前記物品支持部材が納められるようにすることができる。
【００１３】
また、第四に、前記物品支持部材を前記リフトアームをもって当該物品支持部材の裏面部において前記蓋の上方に支持するようにすることもでき、当該物品支持部材の上方の支持空間に物品の支持などの妨げとなる部分を配しないようにすることができる。
【００１５】
かかる構成によれば、前記蓋を前記起立位置から伏倒位置に向けて回動させることにより、前記ケースとの回動組み付け位置を中心に前記スライダとの回動組み付け位置を下方に移動させる前記リンクアームによって、当該スライダを前記蓋の回動組み付け位置に近づける向きにスライド移動させることができ、このスライダの移動により前記リフトアームの物品支持部材に組み付けられた端部と反対の端部を引っ張って前記蓋から物品支持部材を離れ出させる向きに移動させるように当該リフトアームを回動させることができる。
【００１６】
また、前記伏倒位置にある蓋を前記起立位置に向けて回動させることにより、前記ケースとの回動組み付け位置を中心に前記スライダとの回動組み付け位置を上方に移動させる前記リンクアームによって、当該スライダを当該蓋の回動組み付け位置から離れ出させる向きにスライド移動させることができ、このスライダの移動により前記リフトアームの物品支持部材に組み付けられた端部と反対の端部を押し込んで前記蓋に物品支持部材を近づけさせる向きに移動させるように当該リフトアームを回動させることができる。
【００１７】
また、請求項２記載の発明にあっては、請求項１記載の物品支持装置におけるリフトアームが、（１）ケースに対する蓋の回動組み付け側を屈曲内側とするように屈曲状に構成されていると共に、屈曲位置で蓋に回動可能に組み付けられており、（２）しかも、この屈曲位置と物品支持部材との回動組み付け位置との間のストロークが当該屈曲位置とスライダとの回動組み付け位置との間のストロークよりも長くなるように構成してあるものとした。
【００１８】
かかる構成によれば、前記スライダの移動量が小さくても前記リフトアームの蓋に組み付けられた端部側を大きく移動させることができ、前記リンクアームによるスライダの移動量を最小限に留めながら効果的に前記物品支持部材を蓋から離れ出す向きで、かつ、前記ケースの開口前方に向けて移動させることができる。
【００１９】
また、請求項３記載の発明にあっては、請求項１または請求項２記載の物品支持装置における物品支持部材に、起立状態にある飲料容器の側部を保持する保持部が形成してあるものとした。
【００２０】
かかる構成によれば、前記組み込み対象物の側方において前記蓋の内面部に底を載せおいて起立状態とされた当該飲料容器をかかる物品支持部材の保持部をもって当該起立状態を維持するように支持させることができる。
【００２１】
【発明の実施の形態】
以下、図１ないし図９に基づいて、この発明の典型的な実施の形態について説明する。
【００２２】
なお、ここで図１ないし図４は、物品支持装置の構成の概要をそれぞれ示しており、特に、図１はかかる物品支持装置の構成各部品を分離して斜視の状態として、また、図２は伏倒位置Ｄｗに蓋２を開きだした当該物品支持装置を側方から見た状態として、また、図４は起立位置Ｕｐに蓋２を閉じさせた当該物品支持装置を側方から見た状態として、さらに、図３は前記伏倒位置Ｄｗと起立位置Ｕｐとの間の回動位置に前記蓋２がある状態を前記物品支持装置を側方から見た状態として、それぞれ示している。
【００２３】
また、図５ないし図９は、図１ないし図４に示される物品支持装置の具体的な適用例の一つをそれぞれ示しており、特に、図５は伏倒位置Ｄｗに蓋２を開きだした当該適用例を要部を断面にして側方から見た状態として、また、図６は上方から見た状態として、また、図７は図５の右側から見た状態として、それぞれ示している。また、図８は起立位置Ｕｐに蓋２を閉じさせた当該適用例を側方から見て、また、図９は要部を断面にして側方から見た状態として、それぞれ示している。
【００２４】
この実施の形態にかかる物品支持装置は、（１）組み込み対象物Ｋに開口１０を縦向きに配するように組み込まれるケース１と、（２）このケース１の開口１０を閉塞する起立位置Ｕｐから開放する伏倒位置Ｄｗまで当該ケース１に回動可能に組み付けられた蓋２と、（３）かかる蓋２の内面側に配される物品支持部材３と、（４）かかる蓋２の伏倒位置Ｄｗに向けた回動に伴って、当該物品支持部材３を当該蓋２の内面から離れ出させ、かつ、前記ケース１の開口１０前方に移動させる連係機構４とを備える。
【００２５】
そして、前記蓋２を伏倒位置Ｄｗに回動させることにより、前記起立位置Ｕｐにおいて前記ケース１内に収納されている前記物品支持部材３を当該伏倒位置Ｄｗにある蓋２の上側に位置させ、かかる物品支持部材３によって、各種物品を前記組み込み対象物Ｋの側方において支持するように用いられるものである。
【００２６】
（ケース１）
前記ケース１は、この実施の形態にあっては、前記組み込み対象物Ｋに設けられた組み込み穴Ｋａより当該ケース１の開口１０を縦向きに配するように当該組み込み対象物Ｋ内に組み込まれる構成のものとしてある。
【００２７】
具体的には、かかるケース１は、縦向きに板面を配される奥板１１と左右側板１２、１２、および、横向きに板面を配される天板１３および底板１４を有する。そして、奥板１１に対向する側を前記開口１０としている。そして、かかるケース１は、かかる開口１０の開口１０縁を含む仮想の面（いわば、開口１０面）を、前記組み込み対象物Ｋの縦向きの壁面Ｋｂとほぼ同面に配するように、前記組み込み穴Ｋａに組み込まれる構成としてある。
【００２８】
（蓋２）
前記蓋２は、この実施の形態にあっては、前記ケース１の開口１０を閉塞する大きさを備えている。また、かかるケース１の開口１０を閉塞する起立位置Ｕｐから当該開口１０を開放する伏倒位置Ｄｗまで、約９０度回動操作できるように当該ケース１に組み付けられている。
【００２９】
具体的には、かかる蓋２は、その内面部２１であって前記起立位置Ｕｐにおける下辺部２２両側にそれぞれ軸穴２０ａを備えた突部２０を有している。そして、前記ケース１の底板１４側にある左右側板１２、１２にそれぞれ設けた軸穴１５と当該蓋２の突部に設けた軸穴２０ａとにシャフト２０ｂを挿通、組み付けて、このシャフト２０ｂを中心に当該蓋２の上辺部２３を前記ケース１の天板１３縁に接しさせる起立位置Ｕｐから前記伏倒位置Ｄｗまで回動できるように当該ケース１に組み付けられている。
【００３０】
また、この実施の形態にあっては、かかる蓋２の上辺部２３のほぼ中央に設けたストライカ２４に前記起立位置Ｕｐで掛合されるラッチ１６を前記ケース１の天板１３の内側部に設けて、かかる蓋２の当該起立位置Ｕｐでの起立状態の維持をなすようにしてある。
【００３１】
なお、この実施の形態にあっては、前記起立位置Ｕｐにおいて、蓋２の下辺部２２の先端がケース１の底板１４の外面下方に若干突き出す大きさに蓋２が形成されており、かかる起立位置Ｕｐから伏倒位置Ｄｗに向けた蓋２の回動に際し当該蓋２の下辺部２２を組み込み対象物Ｋ内に逃がし入れる隙間１７がケース１の底板１４外面と組み込み穴Ｋａの下穴縁との間に形成されるようにしてある。また、かかる蓋２の上辺部２３の外面側には、前記起立位置Ｕｐから伏倒位置Ｄｗに向けた当該蓋２の回動操作を容易とする突起状の取っ手部２５が形成してある。
【００３２】
一方、この実施の形態にあっては、かかる蓋２の内面部２１には、隆起部２６が形成してあると共に、かかる蓋２の左右方向ほぼ中程の位置において、この隆起部２６を左右にほぼ二分する溝状部２７が形成してある。かかる溝状部２７は、かかる蓋２の下辺部２２側において開放されると共に、この下辺部２２側から前記上辺部２３側に向けて真っ直ぐに延びるように形成されている。
【００３３】
そして、この実施の形態にあっては、この溝状部２７を構成する一対の溝壁２７ａ、２７ａ間に、前記蓋２に前記物品支持部材３を当該蓋２の前記伏倒位置Ｄｗへの回動に伴って当該蓋２の内面から離れ出させ、かつ、前記ケース１の開口１０前方にせり出し状に移動させるように支持する後述するリフトアーム３３が回動可能に組み付けられていると共に、このリフトアーム３３をこのように機能させる後述する連係機構４を構成するスライダ４０が組み込まれている。
【００３４】
（物品支持部材３）
前記物品支持部材３は、この実施の形態にあっては、前記蓋２の内面側に配され、かつ、前記起立位置Ｕｐにおいて当該蓋２により開口１０を閉塞される前記ケース１内に納まる構成のものとしてある。また、かかる物品支持部材３は、幅広の両面を備えた板状の主体部３０を備えており、前記蓋２の起立位置Ｕｐから伏倒位置Ｄｗへの回動の過程に亘って、かかる蓋２の内面部２１の上方に常時当該蓋２と平行を保つように支持される構成としてある。
【００３５】
この実施の形態にあっては、前記蓋２側と物品支持部材３との間に亘って設けられるリフトアーム３３とサブアーム３４とにより、かかる物品支持部材３を当該蓋２に前記のように支持・組み付けている。
【００３６】
かかるリフトアーム３３は、前記蓋２の内面部２１に形成された溝状部２７の延長方向ほぼ中程の位置において、当該溝状部２７内に両端部間で回動可能に組み付けられている。また、かかるリフトアーム３３は、その一端部（以下、リフトアーム３３の上端部３３ａという。また、かかる上端部３３ａと反対のリフトアーム３３の他端部をリフトアーム３３の下端部３３ｄという。）を物品支持部材３の裏面部３１（つまり、かかる物品支持部材３における前記蓋２に向き合った側）に回動可能に組み付けている。具体的には、リフトアーム３３は長い板状に構成されており、前記上下端部３３ａ、３３ｄ間において当該リフトアーム３３の両側端部から突き出される軸突起３３ｇを前記溝状部２７の溝壁２７ａに設けた軸穴２７ｂにそれぞれ納め入れて当該溝状部２７を構成する一対の溝壁２７ａ、２７ａ間に回動可能に組み付けられている。また、かかるリフトアーム３３はその上端部３３ａに前記物品支持部材３の裏面部３１から突き出された軸穴３１ｂを備えた突部３１ａを納める凹所３３ｂを備えており、この凹所３３ｂ内に設けられた軸突起３３ｃをかかる物品支持部材３の突部３１ａの軸穴３１ｂに納め入れて当該上端部３３ａを当該物品支持部材３に回動可能に組み付けている。
【００３７】
また、かかるサブアーム３４は棒状に形成されており、前記溝状部２７における前記リフトアーム３３の回動組み付け位置よりも前記蓋２の上辺部２３側に近付いた位置で一端部を当該溝状部２７を構成する一対の溝壁２７ａ、２７ａ間に回動可能に組み付けていると共に、かかるリフトアーム３３と物品支持部材３との回動組み付け位置よりも当該物品支持部材３における前記蓋２の上辺部２３の直上に位置される端部（以下、物品支持部材３の前端部３２という。）に近接した位置（この実施の形態においては当該物品支持部材３の前後方向ほぼ中程の位置）において当該物品支持部材３の裏面部３１に他端部を回動可能に組み付けている。
【００３８】
そして、前記蓋２に対するかかるリフトアーム３３、サブアーム３４の回動軸および前記物品支持部材３に対する当該リフトアーム３３、サブアーム３４の回動軸がいずれも、前記ケース１に対する当該蓋２の回動軸とほぼ平行となるようにしてある。
【００３９】
また、前記リフトアーム３３と蓋２との回動組み付け位置から当該リフトアーム３３と物品支持部材３との回動組み付け位置までのストロークと、前記サブアーム３４と蓋２との回動組み付け位置から当該サブアーム３４と物品支持部材３との回動組み付け位置までのストロークとが、ほぼ等しくなるように構成してある。
【００４０】
また、前記蓋２に前記物品支持部材３がもっとも近接された位置で（図４の位置）、前記リフトアーム３３およびサブアーム３４の双方ともに当該蓋２に対する回動組み付け位置よりも当該物品支持部材３に対する回動組み付け位置を、当該蓋２と前記ケース１との回動組み付け位置に近づける構成としてある。
【００４１】
これにより、この実施の形態にあっては、第一に、前記蓋２の内面側に前記物品支持部材３を、当該物品支持部材３と蓋２とが常時ほぼ平行を保つように、近接離隔移動可能に支持・配するものとされる。また、第二に、かかる蓋２から離れ出す向きの物品支持部材３の移動に伴って、物品支持部材３を全体として蓋２とケース１との回動組み付け位置から離れる向き（つまり、当該蓋２の前記伏倒位置Ｄｗへの回動に伴って前記ケース１の開口１０前方に移動する向き）に規則的に移動させる。
【００４２】
この結果、前記蓋２の前記起立位置Ｕｐから伏倒位置Ｄｗへの回動に伴って前記リフトアーム３３の前記下端部３３ｄを当該蓋２とケース１との回動組み付け位置に近づける向きに引っ張るようにすれば、当該起立位置Ｕｐにおいて蓋２に近接された物品支持部材３を当該伏倒位置Ｄｗに近付くに連れて次第に蓋２から離れ出させ、かつ、当該ケース１の開口１０前方に移動させることができる。
【００４３】
また、前記蓋２の前記伏倒位置Ｄｗから起立位置Ｕｐへの回動に伴って前記リフトアーム３３の前記下端部３３ｄを当該蓋２とケース１との回動組み付け位置から遠ざける向きに押し込むようにすれば、当該伏倒位置Ｄｗにおいて蓋２から離れ出された物品支持部材３を当該起立位置Ｕｐに近付くに連れて次第に蓋２に近づけさせ、かつ、当該ケース１の開口１０側に向けて、さらには、前記伏倒位置Ｄｗにおいて当該開口１０前方に移動したかかる物品支持部材３の前端を前記ケース１内への当該物品支持部材３の収納の妨げとならないように当該ケース１の天板１３の内側より下方に移動させることができる。
【００４４】
（連係機構４）
前記連係機構４は、この実施の形態にあっては、前記蓋２の溝状部２７内に当該溝状部２７に沿ってスライド移動可能に納められたスライダ４０と、前記蓋２の起立位置Ｕｐから伏倒位置Ｄｗへの（また、かかる伏倒位置Ｄｗから起立位置Ｕｐへの）回動操作に伴って当該スライダ４０を移動させるように前記ケース１に回動可能に組み付けられると共に当該スライダ４０に接合されたリンクアーム４１とから構成されている。
【００４５】
かかるスライダ４０は、前記リフトアーム３３における前記物品支持部材３に組み付けられた上端部３３ａと反対の下端部３３ｄに当該蓋２の先端側（つまり、蓋２の上辺部２３側）に向けられた前端４０ａを回動可能に組み付けると共に、当該蓋２の上辺部２３側から前記ケース１との回動組み付け側に向けて（また、かかる蓋２の回動組み付け側から当該蓋２の上辺部２３側に向けて）移動可能に当該蓋２に備えられている。具体的には、かかるスライダ４０は、前記溝状部２７における前記蓋２の下辺部２２側にある開放された溝端から一端側を突き出させた状態で、その移動方向にある両側部にそれぞれ当該移動方向に沿って設けられたリブ４０ｂを、前記溝状部２７を構成する一対の溝壁２７ａ、２７ａにそれぞれ形成したリブ２７ｃの下側にそれぞれ入り込ませて、当該溝状部２７内に移動可能に納め入れられている。また、かかるスライダ４０は、前記前端４０ａ側の両側に軸突起４０ｃをそれぞれ備えていると共に、前記リフトアーム３３の下端部３３ｄには当該スライダ４０の前端４０ａを納める凹所３３ｅが形成されており、また、かかる凹所３３ｅを構成する両側部には当該軸突起４０ｃを納める軸穴３３ｆが形成してある。そして、この実施の形態にあっては、かかるリフトアーム３３の下端部３３ｄに設けられた軸穴３３ｆに前記スライダ４０の前端４０ａに設けた軸突起４０ｃを納め入れて当該リフトアーム３３の下端部３３ｄにスライダ４０が回動可能に組み付けられている。
【００４６】
一方、前記リンクアーム４１は、一端側をケース１に、かつ、他端側を前記スライダ４０の後端４０ｄに回動可能に組み付けられて、前記蓋２の伏倒位置Ｄｗに向けた回動に伴って、前記スライダ４０を当該蓋２の先端側（つまり蓋２の上辺部２３側）から離れる向きに移動させ、また、かかる蓋２の伏倒位置Ｄｗから起立位置Ｕｐに向けた回動に伴って、かかるスライダ４０を当該蓋２の先端側に近づける向きに移動させる構成としてある。具体的には、かかるリンクアーム４１は、前記ケース１の底板１４内面に形成された軸穴１８ａを備えた一対の突片１８、１８間に、一端側に設けられた軸突起４１ａを当該軸穴１８ａに納めた状態で入れ込んで、当該ケース１に回動可能に組み付けられている。また、かかるリンクアーム４１は、他端側に前記スライダ４０の後端４０ｄを納める凹所４１ｂを備えていると共に、この凹所４１ｂを構成する両側部にそれぞれ設けられた軸穴４１ｃに当該スライダ４０の後端４０ｄの両側にそれぞれ設けた軸突起４０ｅをそれぞれ納め入れて、当該スライダ４０に回動可能に組み付けられている。また、かかるリンクアーム４１とケース１との回動組み付け位置は、かかるケース１と蓋２との回動組み付け位置の上方に位置されるようにしてある。
【００４７】
また、かかるリンクアーム４１とケース１との回動組み付け部分の回動軸、かかるリンクアーム４１とスライダ４０との回動組み付け部分の回動軸、および、かかるスライダ４０とリフトアーム３３との回動組み付け部分の回動軸は、いずれもケース１に対する蓋２の回動軸とほぼ平行をなすようにしてある。
【００４８】
これにより、この実施の形態にあっては、前記蓋２を前記起立位置Ｕｐから伏倒位置Ｄｗに向けて回動させることにより、前記ケース１との回動組み付け位置を中心に前記スライダ４０との回動組み付け位置を下方に移動させる前記リンクアーム４１によって、当該スライダ４０を当該蓋２の回動組み付け位置に近づける向きにスライド移動させることができ、このスライダ４０の移動により前記リフトアーム３３の下端部３３ｄを引っ張って前記蓋２から物品支持部材３を離れ出させる向きに移動させるように当該リフトアーム３３を回動させることができる。（図４から図３、さらに、図３から図２）
【００４９】
また、前記伏倒位置Ｄｗにある蓋２を前記起立位置Ｕｐに向けて回動させることにより、前記ケース１との回動組み付け位置を中心に前記スライダ４０との回動組み付け位置を上方に移動させる前記リンクアーム４１によって、当該スライダ４０を当該蓋２の回動組み付け位置から離れ出させる向きにスライド移動させることができ、このスライダ４０の移動により前記リフトアーム３３の下端部３３ｄを押し込んで前記蓋２に物品支持部材３を近づけさせる向きに移動させるように当該リフトアーム３３を回動させることができる。（図２から図３、さらに、図３から図４）
【００５０】
なお、この実施の形態にあっては、前記リンクアーム４１の回動により前記スライダ４０が直線運動をするのに対し、このスライダ４０に下端部３３ｄを回動可能に組み付けられたリフトアーム３３が前記蓋２との回動組み付け位置を中心に回転運動をすることから、リフトアーム３３の下端部３３ｄに設けたスライダ４０の軸突起４０ｃを納める軸穴３３ｆを当該リフトアーム３３の長さ方向に沿って長い長穴状に構成して、かかるスライダ４０の直線運動を当該リフトアーム３３の回転運動に円滑に変換できるようにしてある。
【００５１】
この実施の形態に物品支持装置は、以上の構成を備えることから、前記蓋２を前記起立位置Ｕｐから伏倒位置Ｄｗに向けて回動させることに伴って前記連係機構４を通じて回動されるリフトアーム３３により、前記物品支持部材３を当該蓋２から離れ出させ、かつ、前記ケース１の開口１０前方にせり出し状に移動させることができる。
【００５２】
この結果、第一に、前記ケース１の組み込まれる組み込み対象物Ｋから前記物品支持部材３を離隔させた状態で当該物品支持部材３を前記蓋２の上方に位置づけ、支持することができ、この物品支持部材３上に支持される物品あるいは当該物品支持部材３に側部を支持されて前記蓋２上に載せられる物品と組み込み対象物Ｋとの間の間隔を広げさせた状態での当該物品の支持をなすことができる。
【００５３】
また、第二に、前記蓋２と物品支持部材３との間の間隔を広げさせた状態での前記物品の支持をなすことができる。
【００５４】
また、第三に、前記蓋２の起立状態においては、前記蓋２との間の間隔を狭めて前記ケース１内に最小の収納スペース（当該ケース１の主として奥行きスペース）をもって前記物品支持部材３が納められるようにすることができる。
【００５５】
また、第四に、前記物品支持部材３を前記リフトアーム３３をもって当該物品支持部材３の裏面部３１で前記蓋２の上方に支持することができ、当該物品支持部材３の上方の支持空間に物品の支持などの妨げとなる部分を配することがない。
【００５６】
かかる物品支持部材３をトレイ状に構成しておけば、前記蓋２を伏倒位置Ｄｗに回動することにより、前記組み込み対象物Ｋの側方においてかかる物品支持部材３上に各種物品を載せおき、支持させることができる。
【００５７】
また、かかる物品支持部材３に、起立状態にある飲料容器Ｊ（例えば、ジュース缶、ＰＥＴボトル、コップなど）の側部を保持する保持部３５（当該物品支持部材３の肉厚方向に透設された穴など）を設けた構成としておけば、前記蓋２を伏倒位置Ｄｗに回動することにより、前記組み込み対象物Ｋの側方において当該蓋２の内面部２１に底Ｊａを載せおいて起立状態とされた当該飲料容器Ｊをかかる物品支持部材３の保持部３５をもって当該起立状態を維持するように支持させることができる。この場合、前記リフトアーム３３と連係機構４の作用により、蓋２と物品支持部材３との間の間隔を広げさせることができるので、飲料容器Ｊの上部開口１０に近い位置での当該飲料容器Ｊの支持がし易く、背の高い飲料容器Ｊの支持も安定的になすことができる。
【００５８】
この実施の形態にあっては、前記物品支持部材３の左右両側に当該物品支持部材３の肉厚方向に透設された飲料容器Ｊの保持穴３５ａを設けると共に、この保持穴３５ａの直下にある蓋２の内面部２１にそれぞれ当該飲料容器Ｊの底Ｊａが安定的に載せおかれる底載せ面２８を形成させており、蓋２の伏倒位置Ｄｗにおいてかかる保持穴３５ａと底載せ面２８とにより二つの飲料容器Ｊ、Ｊを保持できるようにしてある。また、かかる保持穴３５ａは物品支持部材３の前後方向にある側部において外方に開放された半円状の凹み３５ｂとして構成されているが、この保持穴３５ａの内方側を湾曲内側とするように当該開放部の入り口コーナの一方に一端を回動可能に組み付けられた湾曲片３５ｃと当該保持穴３５ａとによりほぼ円形の保持空間が形成されるようにしてある。
【００５９】
また、組み込み対象物Ｋが自動車のセンターコンソールであり、そのセンターコンソールにおける自動車の後部座席側の壁面に前記ケース１の開口１０が縦向きに配される場合のように、物品支持部材３に支持される物品にコンソールリッドが開き出されると当該コンソールリッドが近接されるような組み込み対象物Ｋに用いられる状況下でも、前記リフトアーム３３と連係機構４の作用により、前記蓋２の伏倒位置Ｄｗにおいて、かかるケース１の開口１０、つまり、組み込み対象物Ｋとの間隔を広げさせて物品支持部材３を位置づけるようにすることから、こうしたコンソールリッドなどが支持される物品にできる限り干渉しないようにすることができる。
【００６０】
なお、この実施の形態にあっては、前記リフトアーム３３が、ケース１に対する蓋２の回動組み付け側を屈曲内側とするように屈曲状に構成されていると共に、屈曲位置３３ｈで蓋２（つまり、この蓋２に形成された前記溝状部２の溝壁２７ａ）に回動可能に組み付けられている。
【００６１】
また、この屈曲位置３３ｈとこのリフトアーム３３と物品支持部材３との回動組み付け位置（つまり、リフトアーム３３の上端部３３ａ）との間のストロークが、当該屈曲位置３３ｈとこのリフトアーム３３と前記スライダ４０との回動組み付け位置（つまり、リフトアーム３３の下端部３３ｄ）との間のストロークよりも長くなるように構成してある。
【００６２】
この結果、この実施の形態にあっては、前記スライダ４０の移動量が小さくても前記リフトアーム３３の上端部３３ａを大きく移動させることができ、前記リンクアーム４１によるスライダ４０の移動量を最小限に留めながら効果的に前記物品支持部材３を蓋２から離れ出す向きで、かつ、前記ケース１の開口１０前方に向けて移動させることができる。
【００６３】
次いで、以上に説明した物品支持装置のより具体的な適用例を、図５ないし図９に基づいて説明する。
【００６４】
この図５ないし図９は、前記物品支持装置をカップホルダーとした適用例である。すなわち、かかる適用例にあっては、前記物品支持部材３の左右両側に当該物品支持部材３の肉厚方向に透設された飲料容器Ｊの保持穴３５ａを設けると共に、この保持穴３５ａの直下にある蓋２の内面部２１にそれぞれ当該飲料容器Ｊの底Ｊａが安定的に載せおかれる底載せ面２８を形成させており、蓋２の伏倒位置Ｄｗにおいてかかる保持穴３５ａと底載せ面２８とにより二つの飲料容器Ｊ、Ｊを保持できるようにしてある。
【００６５】
また、かかる保持穴３５ａは物品支持部材３の前後方向にある側部において外方に開放された半円状の凹み３５ｂとして構成されているが、この保持穴３５ａの内方側を湾曲内側とするように当該開放部の入り口コーナの一方側に一端側を回動可能に組み付けられた湾曲片３５ｃと当該保持穴３５ａとによりほぼ円形の保持空間が形成されるようにしてある。（図６）
【００６６】
より具体的には、この適用例にあっては、前記湾曲片３５ｃは、（１）湾曲部３５ｄと、（２）この湾曲部３５ｄの一端部に一端部を一体に連接されると共に、前記物品支持部材３内にあって前記物品支持部材３における蓋２の回動組み付け側において、当該物品支持部材３の肉厚方向に設けた回動軸３５ｆによって回動可能に組み付けられた棒状基部３５ｅと、（３）この棒状基部３５ｅの他端部から前記物品支持部材３の前後方向にある側部から外方に突き出すように一体に形成された突片部３５ｇとを備えている。
【００６７】
そして、この適用例にあっては、前記蓋２の起立位置Ｕｐにおいて、前記湾曲片３５ｃは前記湾曲部３５ｄを前記保持穴３５ａ内に納めて位置づけられるようにしてあると共に、前記棒状基部３５ｅの回動軸３５ｆを巻回部に納めたねじりコイルばね３５ｈの付勢によって、前記蓋２の伏倒位置Ｄｗに向けた回動に伴って当該回動軸を中心に回動され前記湾曲部３５ｄを前記保持穴３５ａから前記物品支持部材３の側方に突き出させる向きに回動されるようにしてある。そして、かかる蓋２の伏倒位置Ｄｗにおいて、前記保持穴３５ａと前記湾曲片３５ｃとの間で前記保持空間を形成する構成としてある。また、かかる伏倒位置Ｄｗにある蓋２を前記起立位置Ｕｐに向けて回動させることに伴って、前記突片部３５ｇが前記ケース１の開口１０縁部に突き当たるようにしてあり、この起立位置Ｕｐに向けた蓋２の回動に伴って前記ねじりコイルばね３５ｈの付勢に抗して前記湾曲部３５ｄが前記保持穴３５ａ内に再び納められるように前記回動軸３５ｆを中心に回動される構成としてある。
【００６８】
また、この適用例にあっては、前記リフトアーム３３の上端部３３ａと物品支持部材３の裏面部３１との回動組み付け軸（つまり、軸突起３３ｃ）を巻回部の内側に納めるようにしたねじりコイルばね３５ｉが、そのばね３５ｉの一端をリフトアーム３３側に押し当て、かつ、そのばね３５ｉの他端を物品支持部材３の裏面部３１側に押し当てて、前記蓋２の伏倒位置Ｄｗにおいても当該物品支持部材３を上方に持ち上げる付勢力を作用させるように備えられており、この蓋２の伏倒位置Ｄｗにおいて当該リフトアーム３３により物品支持部材３をガタつきなく支持できるようにしてある。
【００６９】
また、この適用例にあっては、前記リフトアーム３３の下端部３３ｄの先端の移動軌跡に倣った弧状の凹み２９が蓋２の内面部２１に形成してあり、当該リフトアーム３３が当該蓋２の回動に伴って円滑に回動されるようにしてある。
【００７０】
なお、この適用例において、図１ないし図４に示される物品支持装置と実質的に同一の構成を備えた部分については、この適用例を示す各図において図１ないし図４に用いた符号と同一の符号を付して、その説明を省略する。
【００７１】
【発明の効果】
この発明にかかる物品支持装置によれば、蓋の伏倒位置に向けた回動に伴って、この蓋の内側部に配した物品支持部材を、この蓋の内面部から離れ出させ、かつ、この蓋により開口を閉塞されるケースが組み込まれた組み込み対象物から離れ出させる向きに移動させることができ、当該物品支持部材による物品の支持を組み込み対象物から必要な分離れた位置で容易且つ適切になすことができる。
【図面の簡単な説明】
【図１】物品支持装置の分離斜視構成図
【図２】同側面構成図（蓋２伏倒位置Ｄｗ）
【図３】同側面構成図
【図４】同側面構成図（蓋２起立位置Ｕｐ）
【図５】物品支持装置の適用例を示す要部破断側面図（蓋２伏倒位置Ｄｗ）
【図６】同要部破断平面図
【図７】図５と異なる向きから見た側面図
【図８】同側面図（蓋２起立位置Ｕｐ）
【図９】同要部破断側面図
【符号の説明】
Ｋ  組み込み対象物
１  ケース
１０  開口
２  蓋
３  物品支持部材
３３  リフトアーム
４  連係機構
Ｕｐ  起立位置
Ｄｗ  伏倒位置
【図１】
0004376420.tif 000002
【図２】
0004376420.tif 000003
【図３】
0004376420.tif 000004
【図４】
0004376420.tif 000005
【図５】
0004376420.tif 000006
【図６】
0004376420.tif 000007
【図７】
0004376420.tif 000008
【図８】
0004376420.tif 000009
【図９】
0004376420.tif 000010